(57)【特許請求の範囲】
【請求項１】
棒状体に取り付け可能な情報表示器であって、
軸線方向に沿って形成されたスリットを有する筒状部であって、その外周面の一部に形成された情報表示部を有し、かつ、弾性変形により前記スリットを開くことが可能である、筒状部と、
弾性変形により前記棒状体に巻き付き可能な帯状の固定部であって、前記筒状部の前記軸線方向の少なくとも一端部から延び、前記筒状部の軸線周りに周回する、固定部と、
を備える、情報表示器。
【請求項２】
前記固定部は、前記筒状部の前記軸線方向の両端部から延びる、請求項１に記載の情報表示器。
【請求項３】
軸線が湾曲した前記棒状体に対応するように、前記筒状部の前記軸線が湾曲している、請求項１または２に記載の情報表示器。
【請求項４】
前記情報表示部は、前記筒状部の前記湾曲した軸線を含む面に対して直交する方向から見て、識別可能となる位置にある、請求項３に記載の情報表示器。
【発明の詳細な説明】
【技術分野】
【０００１】
本発明は、情報表示器に関する。
【背景技術】
【０００２】
従来、通信ケーブルに標識札を装着してその管轄等を表示することが行われている。このような標識札として、落下の虞がなく、またケーブルを傷つけることなく簡単に装着可能なケーブル標識札が知られている（特許文献１参照）。このケーブル標識札は、表示札取付金具として、ケーブルの径より若干小さくその外周面形状に沿うように線材を同一方向に螺旋形状に巻回して形成した小径コイル部と、所定の間隔を隔てた前記小径コイル部の途中の２箇所に前記ケーブルの外径よりも大きくなるように形成した大径コイル部と、を有する。また、このケーブル標識札は、前記表示札取付金具が挿入されるように前記大径コイル部間の間隔と同間隔となる２箇所に形成された孔を具備して表面に標識情報が記載された表示板を、有する。
【先行技術文献】
【特許文献】
【０００３】
【特許文献１】特開２００９−２８９７０２号公報
【発明の概要】
【発明が解決しようとする課題】
【０００４】
ところで、例えば、弁の開閉を操作する棒状の操作部に、作業者に注意喚起するために、操作部の操作の禁止、許可を示したり、弁の開閉状態を示したりする目的で、表示を付すことが求められることがある。このような表示として、上述の表示札を操作部に取り付けて、操作部に関連する情報を表示させることが考えられる。
【０００５】
このように操作部に関連する情報を表示させる場合、例えば操作状態に応じて情報が変化する。そのため、表示すべき情報に応じて、表示札を交換する必要がある。ところが、上述した表示札の取り付けは、
（１）２つの大径コイル部および小径コイル部を含む複数巻きの線材を操作部に巻きつける作業と、
（２）表示札の２つの孔に大径コイル部を通す作業と、を要する。
そのため、この表示札の取り付けおよび取り外しは容易ではない。
【０００６】
また、表示札が操作部に取り付けられた状態では、表示札は操作部から線材により吊り下げられている。そのため、操作部が操作される際に、操作部の把持の邪魔になる。したがって、ケーブル用の上述の表示札を操作部に適用することは、実用的ではない。なお、このことは、操作部に限られたことではなく、人が把持する棒状体の全般に当てはまることである。
【０００７】
そこで、本発明の目的は、棒状体への着脱が容易であり且つ棒状体の把持において邪魔にならない情報表示器を提供することである。
【課題を解決するための手段】
【０００８】
本発明に係る情報表示器は、棒状体に取り付け可能な情報表示器であって、軸線方向に沿って形成されたスリットを有する筒状部であって、その外周面の一部に形成された情報表示部を有し、かつ、弾性変形により前記スリットを開くことが可能である、筒状部と、弾性変形により前記棒状体に巻き付き可能な帯状の固定部であって、前記筒状部の前記軸線方向の少なくとも一端部から延び、前記筒状部の軸線周りに周回する、固定部と、を備える。
【０００９】
かかる構成によれば、棒状体への取り付けにおいて、まず、スリットを開くことによって筒状部が棒状体に取り付けられる。そのとき、自然状態に復帰しようとする筒状部が棒状体に当接するので、筒状部が棒状体に固定される。次に、固定部が棒状体に巻き付けられる。そのとき、自然状態に復帰しようとする固定部が棒状体に当接するので、固定部が棒状体に固定される。それにより、一層、筒状部が棒状体に固定される。棒状体からの取り外しは、取り付けとは逆の手順で行われる。上述したように、固定部は巻き付きによって棒状体に取り付けられるが、筒状部は嵌め込みによって棒状体に取り付けられる。そのため、本発明に係る情報表示器は、棒状体への着脱が容易であり、且つ、棒状体の把持における邪魔にならない。
【００１０】
前記情報表示器において、前記固定部は、前記筒状部の前記軸線方向の両端部から延びてもよい。
【００１１】
かかる構成によれば、筒状部が、軸線方向の両側において固定部によって棒状体に固定される。そのため、本発明に係る情報表示器は、棒状体に安定的に固定可能となる。
【００１２】
前記情報表示器において、軸線が湾曲した前記棒状体に対応するように、前記筒状部の前記軸線が湾曲してもよい。
【００１３】
かかる構成によれば、筒状部を、その軸線方向における全体で、軸線が湾曲した棒状体に当接させることができる。そのため、本発明に係る情報表示器は、軸線が湾曲した棒状体に安定的に固定できる。
【００１４】
前記情報表示器において、前記情報表示部は、前記筒状部の前記湾曲した軸線を含む面に対して直交する方向から見て、識別可能となる位置にあってもよい。
【００１５】
かかる構成によれば、棒状体の軸線を含む面に対して直交する方向は、通常、棒状体の正面方向であるので、その正面方向から情報表示部を識別できる。そのため、本発明に係る情報表示器は、情報表示部を識別しやすい。
【発明の効果】
【００１６】
本発明に係る情報表示器は、棒状体への着脱が容易であり且つ棒状体の把持において邪魔にならない。
【図面の簡単な説明】
【００１７】
【図１】図１は、本発明の第１実施形態に係る情報表示器が取り付けられたハンドルの全体正面図である。
【図２】図２は、自然状態における本発明の第１実施形態に係る情報表示器の正面図である。
【図３】図３は、図２のＩ−Ｉ矢視図である。
【図４】図４は、ハンドルに取り付けられた本発明の第１実施形態に係る情報表示器の正面図である。
【図５】図５は、本発明の第２実施形態に係る情報表示器が取り付けられたハンドルの全体正面図である。
【図６】図６は、ハンドルに取り付けられた本発明の第３実施形態に係る情報表示器の正面図である。
【図７】図７は、図６のＩＩ−ＩＩ矢視図である。
【図８】図８は、図６のＩＩＩ−ＩＩＩ矢視図である。
【発明を実施するための形態】
【００１８】
まず、本発明の第１実施形態に係る情報表示器を、添付図面を参照しながら説明する。なお、以下の各実施形態において同一または対応する部分には同一の参照符号を付しており、これらの部分の構成についての説明は、基本的には繰り返さない。
【００１９】
図１に示されるように、情報表示器１は、弁７のハンドル（棒状体）８に取り付けられる。この弁７は、例えば、発電所内の配管９に設けられた手動弁である。
【００２０】
図２、図３を参照して、自然状態における情報表示器１、つまりハンドル８に取り付けられていない状態における情報表示器１を説明する。図２、図３において、ハンドル８が２点鎖線により示されている。
【００２１】
図２に示されるように、情報表示器１は、軸線方向に沿って形成されたスリットＳ２を有する筒状部２と、弾性変形によりハンドル８に対して巻き付き可能な２つの帯状の固定部３とを備える。筒状部２の軸線方向は、筒状部２の軸線Ａの方向を意味する。
【００２２】
筒状部２は、樹脂材料などの弾性変形可能な材料で成形されている。筒状部２は、その外周面の一部に形成された情報表示部４を有し、かつ、弾性変形によりスリットＳ２を開くことが可能である。筒状部２の軸線Ａは、軸線が湾曲したハンドル８に対応するように、湾曲している。すなわち、筒状部２の軸線Ａは、ハンドル８の軸線に略一致する。
【００２３】
２つの固定部３は、樹脂材料などの弾性変形可能な材料で成形されている。２つの固定部３は、それぞれ、筒状部２の軸線方向の一端部２Ｒおよび他端部２Ｌから延び、筒状部２の軸線Ａ周りに周回する。固定部３は、軸線Ａ周りに、略一周程度周回している。帯状の固定部３は、筒状部２の端部（一端部２Ｒまたは他端部２Ｌ）に接続された基端３ａから先端３ｂまで延びている。固定部３は、軸線Ａに沿った螺旋を描いている。以下、２つの固定部３を区別する必要がある場合、一端部２Ｒから延びる固定部３を一方の固定部３と呼び、他端部２Ｌから延びる固定部３を他方の固定部３と呼ぶ。
【００２４】
筒状部２および２つの固定部３は、例えば、同一の樹脂材料で一体成形されることによって製造される。
【００２５】
情報表示器１が自然状態にあるときに、筒状部２の内径Ｗ２および固定部３の内径Ｗ３は、ハンドル８の外径Ｗ８よりも小さい。したがって、当然ながら、スリットＳ２の開口幅ＷＳ２も、ハンドル８の外径Ｗ８よりも小さい。
【００２６】
筒状部２は、本体２０と、本体２０の外周面に設けられた情報表示部４とを備えている。情報表示部４は、ハンドル８に関連する情報を表示する。第１実施形態に係る情報表示部４は、本体２０に張り付けられたラベルと、ラベルに印刷された文字とから構成されている。この文字は、ハンドル８に関連する情報として、弁７の操作状態を示す情報を示す。具体的には、弁の開状態および閉状態を示す「開」または「閉」の文字が、ラベルに印刷されている。また、識別のしやすさを考慮して、情報を示す文字は、本体２０およびラベルの色とは異なる色で着色されている。さらに、情報の内容に応じて、異なる色が使用されている。例えば、「開」の文字は、赤色で着色され、「閉」の文字は、青色で着色される。
【００２７】
情報表示部４は、筒状部２の軸線Ａを含む面に対して直交する方向（直交方向ＤＯ）から見て、識別可能となる位置にある。図２において、軸線Ａを含む面は紙面であり、直交方向ＤＯはこの紙面に直交する方向である。
【００２８】
図３に示されるように、軸線方向から見たとき、筒状部２は、Ｃ字形状を有する。スリットＳ２は、このＣ字形状の開口部に位置する。固定部３の基端３ａは、筒状部２の端部（一端部２Ｒまたは他端部２Ｌ）の一部に接続されている。
【００２９】
図４は、情報表示器１がハンドル８に取り付けられた状態を示している。このとき、筒状部２の内径Ｗ２および固定部３の内径Ｗ３は、ハンドル８の外径Ｗ８に略等しい。また、取り付けられた状態におけるスリットＳ２の開口幅ＷＳ２は、自然状態におけるスリットＳ２の開口幅ＷＳ２よりも大きいが、ハンドル８の外径Ｗ８よりは小さい。
【００３０】
情報表示器１は、次のようにして、ハンドル８に取り付けられる。
【００３１】
まず、自然状態にある筒状部２のスリットＳ２が、例えば指等によって加えられる外力によって開かれる。スリットＳ２の開口幅ＷＳ２がハンドル８の外径Ｗ８よりも広げられた状態で、筒状部２がハンドル８に嵌め込まれる。ここで、軸線Ａを周回する固定部３がハンドル８への筒状部２の嵌め込みの障害とならないように、固定部３が、基端３ａの周辺で屈曲されるか、または、直線状に引き延ばされる。筒状部２がハンドル８に嵌め込まれた後に、スリットＳ２を開くように加えられた外力が取り除かれる。そうすると、筒状部２が自然状態に復帰しようとするので、筒状部２がハンドル８に当接する。このようにして筒状部２がハンドル８に固定される。
【００３２】
次に、２つの固定部３が１つずつ順番にハンドル８に取り付けられる。２つの固定部３のどちらも同様に取り付けられるので、ここでは、１つの固定部３の取り付けについて説明する。まず、固定部３は、例えば指等によって加えられる外力によって、直線状に延ばされる。次に、固定部３が自然状態に復帰するように、外力が緩められる。この結果、固定部３は周回しながらハンドル８に巻き付いていく。外力が取り除かれると、固定部３がハンドル８に当接し、ハンドル８に固定される。同様に、もう１つの固定部３もハンドル８に固定される。このようにして、筒状部２自体がハンドル８に固定され、さらに２つの固定部３がハンドル８に固定されるので、より一層強力に筒状部２がハンドル８に固定される。
【００３３】
情報表示器１のハンドル８からの取り外しは、上述したハンドル８への取り付けの手順とは逆の手順により、行われる。すなわち、まず、固定部３がハンドル８から取り外され、次に、筒状部２がハンドル８から取り外される。
【００３４】
図３を参照して、固定部３の筒状部２への接続位置をより詳しく説明する。固定部３の基端３ａは、軸線Ａを挟んでスリットＳ２に対向する位置で、筒状部２の端部（一端部２Ｒまたは他端部２Ｌ）に接続されている。上述したように、固定部３は、軸線Ａの周りを周回するように構成されている。図３において、固定部３は、基端３ａから時計回り方向Ｄ３に周回する。ここで、基端３ａからスリットＳ２までの固定部３に沿った時計回り方向Ｄ３での距離は、基端３ａからスリットＳ２までの固定部３に沿った反時計回り方向Ｄ３ａでの距離よりも長い。そして、固定部３は、上述の距離が長くなる方向である時計回り方向Ｄ３に延びている。このような構成により、次に説明するように、固定部３のハンドル８への着脱が容易になっている。
【００３５】
筒状部２がハンドル８に取り付けられるとき、筒状部２は、軸線ＡからスリットＳ２に向かう方向であるスリットＳ２の開口方向Ｄ２に沿ってハンドル８に取り付けられる。ここで、軸線Ａを周回する固定部３は、軸線Ａから開口方向ＤＳ２に沿うハンドル８の挿入経路上にある。そのため、上述したように、筒状部２のハンドル８への取り付けに際して、上述の挿入経路から固定部３が外れるように、固定部３を屈曲させるか、または直線状に引き延ばす必要がある。ここで、基端３ａからスリットＳ２まで固定部３が延びる距離が長くなるほど、上述の挿入経路から外れるように固定部３を撓ませることが容易になる。上述したように固定部３が基端３ａから時計回り方向Ｄ３に延びているので、固定部３が基端３ａから反時計回り方向Ｄ３ａに延びる場合よりも、固定部３は撓みやすい。したがって、情報表示器１のハンドル８への固定部３の着脱が容易である。
【００３６】
特に、基端３ａがスリットＳ２に最も近い位置に配置されている場合に、固定部３は最も撓みやすい。また、基端３ａからスリットＳ２までの距離が、時計回り方向Ｄ３と反時計回り方向Ｄ３ａとの間のどちらの方向においても等しい場合、撓みやすさの点では、固定部３はどちらの方向に延びてもよい。
【００３７】
図５を参照して、第２実施形態に係る情報表示器１を説明する。第２実施形態に係る情報表示器１は、軸線が直線状であるハンドル８に取り付けられている。第２実施形態に係る筒状部２の軸線Ａは、軸線が直線状であるハンドル８に対応するように、直線状である。
【００３８】
図６を参照して、第３実施形態に係る情報表示器１を説明する。第３実施形態に係る情報表示器１は、固定部３の構成において、第１実施形態に係る情報表示器１と異なっている。以下では、固定部３の構成を説明する。
【００３９】
図６に示されるように、固定部３は、筒状部２の軸線方向に沿って形成されたスリットＳ３０を有する環状部３０と、環状部３０を筒状部２に軸線方向に沿って接続する接続部３１とを有する。環状部３０は、軸線Ａ周りに一周程度周回している。接続部３１は、必須の要素ではなく、環状部３０が直接筒状部２の端部の一部に接続されてもよい。
【００４０】
図７に示されるように、固定部３（接続部３１）の基端３ａは、筒状部２の端部（一端部２Ｒまたは他端部２Ｌ）の一部に接続されている。図７において、環状部３０は、反時計回り方向Ｄ３０に周回する。
【００４１】
図８に示されるように、軸線方向から見たとき、環状部３０のスリットＳ３０は、左右において逆転したＣ字形状を有する。スリットＳ３０は、このＣ字形状の開口部に位置する。情報表示器１がハンドル８に取り付けられた状態において、スリットＳ３０の開口幅は、ハンドル８の外径Ｗ８より小さい。また、環状部３０のスリットＳ３０の開口方向ＤＳ３０は、図７に示される筒状部２のスリットＳ２の開口方向ＤＳ２とは、概ね反対（略１８０度異なる方向）である。そのため、固定部３の軸線Ａ周りの周回数が、１周未満（３６０度未満）であっても、筒状部２がハンドル８から抜けにくくなっている。なお、固定部３は、スリットＳ３０を形成することなく互いに重なるようにして、１周よりも長い距離だけ軸線Ａ周りで周回してもよい。
【００４２】
第１から第３実施形態のそれぞれに係る情報表示器１は、棒状体（ハンドル８）に取り付け可能な情報表示器１である。この情報表示器１は、軸線方向に沿って形成されたスリットＳ２を有する筒状部２であって、その外周面の一部に形成された情報表示部４を有し、かつ、弾性変形により前記スリットＳ２を開くことが可能である、筒状部２と、弾性変形により前記棒状体に巻き付き可能な帯状の固定部３であって、前記筒状部２の前記軸線方向の少なくとも一端部から延び、前記筒状部２の軸線Ａ周りに周回する、固定部３と、を備える。
【００４３】
かかる構成によれば、棒状体への取り付けにおいて、まず、スリットＳ２を開くことによって筒状部２が棒状体に取り付けられる。そのとき、自然状態に復帰しようとする筒状部２が棒状体に当接するので、筒状部２が棒状体に固定される。次に、固定部３が棒状体に巻き付けられる。そのとき、自然状態に復帰しようとする固定部３が棒状体に当接するので、固定部３が棒状体に固定される。それにより、一層、筒状部２が棒状体に固定される。棒状体からの取り外しは、取り付けとは逆の手順で行われる。上述したように、固定部３は巻き付きによって棒状体に取り付けられるが、筒状部２は嵌め込みによって棒状体に取り付けられる。そのため、第１から第３実施形態のそれぞれに係る情報表示器１は、棒状体への着脱が容易であり、且つ、棒状体の把持における邪魔にならない。
【００４４】
第１から第３実施形態のそれぞれに係る情報表示器１において、前記固定部３は、前記筒状部２の前記軸線方向の両端部から延びてもよい。
【００４５】
かかる構成によれば、筒状部２が、軸線方向の両側において固定部３によって棒状体に固定される。そのため、第１から第３実施形態のそれぞれに係る情報表示器１は、より一層、棒状体に安定的に固定可能となる。
【００４６】
第１または第３実施形態に係る情報表示器において、軸線が湾曲した前記棒状体に対応するように、前記筒状部２の前記軸線Ａが湾曲してもよい。
【００４７】
かかる構成によれば、筒状部２を、その軸線方向における全体で、軸線が湾曲した棒状体に当接させることができる。そのため、第１または第３実施形態に係る情報表示器１は、軸線が湾曲した棒状体に安定的に固定できる。
【００４８】
第１または第３実施形態に係る情報表示器において、情報表示部は、前記筒状部２の前記湾曲した軸線Ａを含む面に対して直交する方向から見て、識別可能となる位置にあってもよい。
【００４９】
かかる構成によれば、棒状体の軸線を含む面に対して直交する方向は、通常、棒状体の正面方向であるので、その正面方向から情報表示器１を識別できる。そのため、情報表示器１は、第１または第３実施形態に係る情報表示部を識別しやすい。
【００５０】
なお、本発明に係る情報表示器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５１】
第１から第３実施形態に係る情報表示器１では、筒状部２が本体２０および情報表示部４としてのラベルから構成され、本体２０の外面にこのラベルが張り付けられている。本発明に係る情報表示部は、筒状部２の外周面の一部に形成されれば良く、上記構成に限定されない。例えば、筒状部２の外周面が凹部および凸部を有し、凸部または凹部によって形成される領域が、文字等を表示する情報表示部となってもよい。また、第１から第３実施形態に係る情報表示部４は、棒状体に関連する情報として、弁７の操作状態を示す情報を示している。本発明に係る情報表示部は、なんらかの情報を表示すればよく、上述の構成に限定されない。また、第１から第３実施形態に係る棒状体は、弁７のハンドル８であるが、この構成に限定されない。本発明に係る棒状体は、操作を要する操作装置において操作手段として設けられた棒状部材であれば、限定されない。操作装置の棒状体は、例えば、スイッチのレバーであってもよい。
【００５２】
第１および第２実施形態に係る固定部３は、軸線Ａ周りに周回しながら軸線方向にも変位する螺旋を描いている。第３実施形態に係る固定部３は、軸線Ａ周りに周回しながら軸線方向には変位しない環を描いている。本発明に係る固定部は、軸線Ａ周りに周回する軌跡を少なくとも部分的に含んでいれば良く、例えば、螺旋および環を共に含む軌跡を描いてもよい。また、第１から第３実施形態に係る固定部３は、軸線Ａ周りに１周程度周回しているが、この構成に限定されない。本発明に係る固定部は、軸線Ａ周りに周回すればよく、少なくとも１周以上周回することが好ましいが、半周だけ周回しても、複数周以上周回してもよい。
【００５３】
第１から第３実施形態に係る情報表示器１では、２つの固定部３が、それぞれ、筒状部２の両端部から延びている。本発明に係る情報表示器では、固定部は、筒状部２の少なくとも一端部から延びればよい。つまり、１つの固定部が、筒状部２の一端部のみから延びてもよい。
【００５４】
第１から第３実施形態に係る情報表示部４は、筒状部２の軸線Ａを含む面に対して直交する方向（直交方向ＤＯ）から見て、識別可能となる位置にあるが、この構成に限定されない。本発明に係る情報表示部は、外部から識別可能な位置に設けられていればよく、例えば、軸線Ａが湾曲する筒状部２の曲率半径方向から見て識別可能となる位置に設けられてもよい。
【００５５】
本発明に係る棒状体は、第１から第３実施形態に係るハンドル８に限定されない。棒状体は、人が把持するための棒状の部材であればよい。棒状体は、操作を要する機器に設けられた棒状の部材である操作部と、単に把持することを目的とする棒状の部材である把持部とを、含む。操作部は、ハンドルおよびレバーを含む。把持部は、手すりおよび横桟を含む。
【符号の説明】
【００５６】
１…情報表示器、２…筒状部、２Ｌ…他端部、２Ｒ…一端部、３…固定部、３ａ…基端、３ｂ…先端、４…情報表示部、７…弁、８…ハンドル、９…配管、２０…本体、３０…環状部、３１…接続部、Ａ…軸線、Ｄ３…時計回り方向、Ｄ３０…反時計回り方向、ＤＯ…直交方向、ＤＳ２…開口方向、ＤＳ３０…開口方向、Ｓ２…スリット、Ｓ３０…スリット、Ｗ２…内径、Ｗ３…内径、Ｗ８…外径、ＷＳ２…開口幅
【図１】
0006536947.tif 000002
【図２】
0006536947.tif 000003
【図３】
0006536947.tif 000004
【図４】
0006536947.tif 000005
【図５】
0006536947.tif 000006
【図６】
0006536947.tif 000007
【図７】
0006536947.tif 000008
【図８】
0006536947.tif 000009